(57)【要約】【課題】就寝時に側臥姿勢の維持を補助する側臥補助寝具を提供する。【解決手段】側臥した使用者Ａの頭部を上に載せることが可能な枕部２と、使用者Ａの背中側にあって枕部２に着設されており、枕部２よりも背高で使用者Ａの背中に当接して支持する背当て部３と、使用者Ａの頭部に頭部制止バンド４を上方から被せ、頭部制止バンド４の端部及び枕部２の対応する箇所に取着された係止フック６を係止することで枕部２と協働して頭部を挟持して頭部の運動を制限する頭部当接部７と、枕部２及び背当て部３の下側に着設されており、枕部２及び背当て部３の屈曲変形を抑制する剛性を有する底板とを備える。【選択図】図３
0003131619.tif 000002
【実用新案登録請求の範囲】
【請求項１】
側臥した人間の頭部を支持する枕状の頭部受容部と、
該頭部受容部に着設され、前記側臥した人間の頭部を、前記頭部受容部と協働して挟持し、前記側臥した人間の頭部の運動を制限するホールド部と
を具備することを特徴とする側臥補助寝具。
【請求項２】
前記頭部受容部よりも高さ寸法が大きく、前記頭部受容部に着設され、前記側臥した人間の背中に当接して前記側臥した人間の背中を支え、側臥姿勢から仰臥姿勢への姿勢変更を防止する背当て部を更に具備することを特徴とする請求項１に記載の側臥補助寝具。
【請求項３】
前記頭部受容部に装着され、使用時に前記頭部受容部がＵ字形に屈曲変形することを抑制する剛体を更に具備することを特徴とする請求項１または請求項２に記載の側臥補助寝具。
【請求項４】
側臥した人間の頭部を支持する枕状の頭部受容部と、
前記側臥した人間の頭部の形状に適応する柔軟性を有し、該頭部に対して当接する頭部当接部を備え、前記頭部当接部を前記頭部に接触させ、前記頭部受容部と協働して前記頭部を挟持し、前記頭部の運動を制限するホールド部と、
該ホールド部の少なくとも１箇所の端部に取着された第一係止部、
及び前記頭部受容部に取着され、前記頭部当接部が前記頭部に接した状態で前記第一係止部に係止可能な第二係止部
を備えた挟持係止部と、
前記頭部受容部よりも高さ寸法が大きく、前記頭部受容部に着設され、前記側臥した人間の背中に当接して前記側臥した人間の背中を支え、側臥位から仰臥位への姿勢変更を防止する背当て部と、
前記頭部受容部及び前記背当て部の両方に取着され、使用時に前記頭部受容部がＵ字形になる屈曲変形及び前記背当て部の側方への屈曲変形を抑制する剛体と、
前記背当て部に前記側臥した人間の背中が当接する状態で前記背当て部と前記側臥した人間の胴体とを結束する胴体制止バンドと
を具備することを特徴とする側臥補助寝具。
【考案の詳細な説明】
【技術分野】
【０００１】
本考案は、就寝時に側臥姿勢の維持を補助する寝具に関するものである。
【背景技術】
【０００２】
睡眠時には仰向けに横臥した姿勢、すなわち、仰臥姿勢をとることが一般的であるが、仰臥姿勢で眠っていると、睡眠中に舌が喉頭に落ち込んでしまうために気道が狭くなることがある。気道が狭くなると、いびきをかいたり、呼吸が阻害されて睡眠時無呼吸症候群と呼ばれる睡眠障害を起こす虞がある。こうした睡眠時の問題を解消するためには睡眠中に横向きに寝転ぶ姿勢、すなわち、側臥姿勢を保つことが望ましいが、睡眠中は無自覚に姿勢を変えてしまい、知らないうちに仰臥姿勢になってしまうことがある。そこで、側臥姿勢を維持するための寝具等が開発されてきた。例えば、側臥姿勢の背中側へと一部を延長したＬ字形を呈する形状の枕がある（特許文献１）。特許文献１の枕によれば、寝ている人の背中にＬ字形の枕の一部が当接して背中を支え、寝返りによる姿勢変化を妨げ、側臥姿勢の維持を補助することができる。
【特許文献１】特開２００４−３３６９６
【考案の開示】
【考案が解決しようとする課題】
【０００３】
しかし、特許文献１の枕は、寝ている人が動いたときに位置がずれやすく、枕と背中がうまく当接しないために背中を支えられなくなる虞があった。また、特許文献１の枕は、全体が通常の枕と同様の素材及び構造で形成されていたため、寝ている人の動きや体重のためにＬ字形の枕自体が変形し、うまく背中を支えることができなくなる虞があった。また、無自覚に寝返りをうった場合に背中に当接している部分の上に体が乗ってしまい、寝苦しさに睡眠が中断される場合もあった。このように、特許文献１の枕は、睡眠時に側臥姿勢の維持を補助して安眠を補助する効果が十分ではなく、使用者の睡眠障害を十分に解消できなかった。
【０００４】
そこで、本考案は、上記の実状に鑑み、睡眠中の側臥姿勢の維持をより容易にする側臥補助寝具の提供を課題とするものである。
【課題を解決するための手段】
【０００５】
本考案に係る側臥補助寝具は、「側臥した人間の頭部を支持する枕状の頭部受容部と、
該頭部受容部に着設され、前記側臥した人間の頭部を、前記頭部受容部と協働して挟持し、前記側臥した人間の頭部の運動を制限するホールド部と
を具備する」ものである。
【０００６】
ここで、「枕状」とは、枕のように上に人間の頭部を載せて安定して支持可能なものであればよく、頭部を上に載せることが可能な形状及び寸法を備えていれば、その他に特に形状、構造等を限定するものではない。
【０００７】
本考案によれば、側臥した人間（以下、「使用者」という）の頭部を、頭部受容部及びホールド部によって挟持し、頭部の運動を制限することができる。これにより、側臥姿勢で睡眠中に無意識に動いて仰臥姿勢に姿勢を変えてしまう虞を抑制することができる。睡眠中に側臥姿勢を維持することで、舌が咽喉に落ち込むことで気道が狭窄する虞を低減させ、いびきの発生や睡眠時無呼吸症候群による睡眠障害を予防することが可能である。
【０００８】
睡眠時に使用されることを考慮すると、頭部受容部は、適度な柔軟性と弾力とを備えた材質をクッション材として形成されているものが望ましい。クッション材の例としては、ビーズ状、小片状、ストロー状等の各種樹脂成形品、そばがら、羽毛、木片等が挙げられるが、特に、ポリウレタンの軟質フォームを使用すると、側臥位においても枕に当接する耳を痛めることなく適度な圧力分布を得ることができるため、より望ましいものとなる。
【０００９】
また、本考案に係る側臥補助寝具は、「前記頭部受容部よりも高さ寸法が大きく、前記頭部受容部に着設され、前記側臥した人間の背中に当接して前記側臥した人間の背中を支え、側臥姿勢から仰臥姿勢への姿勢変更を防止する背当て部を更に具備する」構成とすることもできる。
【００１０】
本構成によれば、背当て部が頭部受容部に着設されており、使用者の背中に背当て部が当接する。背当て部は頭部受容部よりも高さ寸法が大きくなっている。これにより、頭部のみでなく胴体を支えて側臥姿勢で保つことができる上、背当て部の高さ寸法が大きいことで睡眠中に背当て部に使用者の身体がもたれかかった場合にも背当て部の上に乗り上げにくいので、覚醒しにくくなっている。なお、背当て部は、頭部受容部と一体的に形成されていてもよいし、別々に形成された部材が組合わせられたものであってもよい。
【００１１】
また、本考案に係る側臥補助寝具は、「前記頭部受容部に装着され、使用時に前記頭部受容部がＵ字形に屈曲変形することを抑制する剛体を更に具備する」構成とすることもできる。
【００１２】
頭部受容部及びホールド部によって使用者の頭部を挟持すると、頭部受容部にホールド部が取着されている部分に張力が加わる。この張力によって頭部受容部の一部が上方へと向かって引っ張られて全体が屈曲変形する虞がある。しかし、本構成によれば、剛体を備えることにより、頭部受容部が屈曲変形しにくくなり、ホールド部と頭部受容部とによって頭部を挟持しているときに頭部受容部の屈曲変形を抑制することができる。
【００１３】
また、本考案に係る側臥補助寝具は、「側臥した人間の頭部を支持する枕状の頭部受容部と、
前記側臥した人間の頭部の形状に適応する柔軟性を有し、該頭部に対して当接する頭部当接部を備え、前記頭部当接部を前記頭部に接触させ、前記頭部受容部と協働して前記頭部を挟持し、前記頭部の運動を制限するホールド部と、
該ホールド部の少なくとも１箇所の端部に取着された第一係止部、
及び前記頭部受容部に取着され、前記頭部当接部が前記頭部に接した状態で前記第一係止部に係止可能な第二係止部
を備えた挟持係止部と、
前記頭部受容部よりも高さ寸法が大きく、前記頭部受容部に着設され、前記側臥した人間の背中に当接して前記側臥した人間の背中を支え、側臥位から仰臥位への姿勢変更を防止する背当て部と、
前記頭部受容部及び前記背当て部の両方に取着され、使用時に前記頭部受容部がＵ字形になる屈曲変形及び前記背当て部の側方への屈曲変形を抑制する剛体と、
前記背当て部に前記側臥した人間の背中が当接する状態で前記背当て部と前記側臥した人間の胴体とを結束する胴体制止バンドと
を具備する」構成とすることもできる。
【００１４】
本構成によれば、枕状の頭部受容部に使用者の頭部を載せ、第一係止部及び第二係止部を係止すると、ホールド部と頭部受容部とが頭部を挟持して係止され、頭部の運動が制限されるため、使用者が睡眠中に仰臥姿勢へと姿勢を変えることを予防することができる。
【００１５】
また、頭部受容部には剛体が着設されているため、頭部受容部が上方へ屈曲変形しないようになっている。頭部受容部の変形によってホールド部と頭部受容部によって挟持する力が弱まり、頭部が自由に運動可能となって仰臥姿勢になったり、頭部を挟持したままで頭部受容部が変形して使用者の姿勢が変化してしまうことを防ぐことができる。
【００１６】
さらに、本構成によれば、背当て部が頭部受容部に着設されており、使用者の背中に背当て部が当接する。背当て部は頭部受容部よりも高さ寸法が大きくなっている。これにより、頭部のみでなく胴体を支えて側臥姿勢で保つことができる上、背当て部の高さ寸法が大きいことで睡眠中に背当て部に使用者の身体がもたれかかった場合にも背当て部の上に乗り上げにくいので、覚醒しにくくなっている。
【００１７】
また、本構成によれば、胴体制止バンドによって使用者の胴体が背当て部に対して結束されるため、使用者の身体の動きをさらに制限し、側臥姿勢を崩れにくくすることができる。
【００１８】
また、第一係止部と第二係止部とが着脱可能となっているため、使用時にホールド部の頭部受容部に対する着脱を容易とし、より利用しやすくすることができる。また、ホールド部を頭部受容部と分離可能とすれば、各部の損耗時の交換や洗濯等を容易とすることができる。
【考案の効果】
【００１９】
このように、本考案の側臥補助寝具によれば、側臥した状態で頭部の運動を制限し、睡眠中の側臥姿勢の維持を補助することができる。
【考案を実施するための最良の形態】
【００２０】
以下、本考案の実施形態である側臥補助寝具について、図１乃至図３に基づき説明する。図１は第一の実施形態の側臥補助寝具の構成を示す斜視図であり、図２は第一の実施形態の側臥補助寝具の使用状態を示す正面図であり、図３は第一の実施形態の側臥補助寝具の使用状態を示す平面図である。
【００２１】
以下、図１乃至図３に基づき本考案の第一の実施形態である側臥補助寝具１について詳細に説明する。側臥補助寝具１は、主に枕部２、背当て部３、頭部制止バンド４、及び底板５によって構成されている。
【００２２】
枕部２は、本実施形態の側臥補助寝具１においては、枕１１、枕台部１０及びスペーサ１２の３つの部材を主要な部分として構成されている。各部材は、枕台部１０の上にスペーサ１２を挟んで枕１１が固定されるようになっている。枕１１は、略直方体の形状を呈しており、袋状の布製の外皮の中に軟質ポリウレタンのクッション材が詰められた構造となっている。また、枕１１の上面は中央部が低くなった波状の曲面であり、内部のクッション材も枕１１の上面の形状に合わせて成形されており、側臥姿勢で寝る人Ａの頭部を下から受け止めるクッションの役割を果たすとともに、側臥姿勢で寝る人Ａの頭部を支持して頚椎が湾曲して寝苦しい姿勢とならないように頭部の高さを保って側臥姿勢を維持する。また、封入されたクッション材は軟質ポリウレタンであるので、圧力分布が均等化され、枕１１に当接する側の使用者Ａの耳が圧迫されにくくなっている。枕１１は、裏面に面ファスナーを備えており、同じく面ファスナーを備えたスペーサ１２の上面に対して係止される。スペーサ１２は、布製の外皮の中に多少硬質のクッション材を封入して薄板状に形成されたクッションであり、枕台部１０に対して面ファスナーで固定される。スペーサ１２のクッション材は硬質であり、使用者Ａの頭部の重さによって継続的に圧迫されてもスペーサ１２は型崩れしにくくなっている。枕台部１０も同様に略直方体の外観を呈しており、中には硬質のクッション材が封入されていて型崩れしにくいものである。
【００２３】
頭部制止バンド４には４個の係止フック６のフック部６ａが取着されており、枕台部１０には、係止フック６のリング部６ｂが、枕部２の上部の四角の近傍の４箇所に１個ずつ分散されて取着されている。係止フック６のフック部６ａとリング部６ｂとは対応する１組ずつ係止することができる。ここで、枕部２（枕台部１０、枕１１、スペーサ１２）が、本発明の頭部受容部に相当し、頭部制止バンド４が、本発明のホールド部に相当し、係止フック６が、本発明の挟持係止部に相当し、フック部６ａが、本発明の第一係止部に相当し、リング部６ｂが、本発明の第二係止部に相当する。
【００２４】
頭部制止バンド４は、全体として「Ｘ」字のような形状を呈し、使用者Ａの頭部に接する頭部当接部７を中央部に備えている。頭部制止バンド４の４箇所の端部には係止フック６のフック部６ａが取着されており、上記のように枕台部１０の対応する４箇所の係止フック６のリング部６ｂに夫々係止可能である。頭部当接部７は、合成繊維を素材とし、使用者の頭部の形状に対応して柔らかく当接する柔軟性を有しており、頭部制止バンド４の「Ｘ」字の交差部の周囲に帯状の部材を四角形に着設されて形成された部分である。頭部当接部７は、使用者Ａの耳の周辺に押し当てられるが、耳を塞いでしまわないように頭部当接部７を構成する帯材同士の間には、図３に示すように隙間が形成されている。使用者Ａが側臥し枕１１に頭部を乗せた後に、使用者Ａの頭部に頭部制止バンド４を被せてすべての係止フック６を係止して枕台部１０と頭部制止バンド４とを係止すると、頭部制止バンド４が適度な張力を保った状態で頭部当接部７が使用者Ａの側頭部に押し当てられ、使用者Ａの頭部が枕部２と頭部当接部７とによって挟持され、頭部の動きが抑制される。なお、頭部制止バンド４及び頭部当接部７には、使用中の圧迫感を和らげるとともに、着脱が容易となるように多少の伸縮性を有する素材が用いられている。
【００２５】
図３に示すように、背当て部３は、枕台部１０の右側に縫製によって着設され、枕部２と背当て部３とは一体的な外見を呈している。背当て部３は、側臥した使用者Ａの背骨に背当て部３の上端が接する程度の高さまで立ち上がったＬ型の壁状を呈しており、使用者Ａの背中に当接する箇所には、使用者Ａの側に張出した背中当接部９を備えている。また、背当て部３は、枕台部１０と同様に内部にクッション材が詰められているが、枕部２よりも堅く形成されており、使用者Ａの胴体が寄りかかった時に側臥姿勢を維持するように支えることができるようになっている。背中当接部９の強度を高めるために、枕台部１０の係止フック６を装着する部分に干渉しない高さで補強部８が枕台部１０と背中当接部９とを結合するように形成されている。
【００２６】
背当て部３は、枕１１の上面よりも高さ寸法が大きく、本実施形態においては側臥した使用者Ａの背骨に背当て部３の上端が接する程度の高さで使用者Ａの背中に当接しているので、寝返りによって使用者Ａの身体が背当て部３に乗り上げにくくなっており、使用者Ａが覚醒してしまう虞が低減されている。
【００２７】
底板５は、全体が一体的に成形された剛性の高い合板製の板状の部材であり、枕台部１０及び背当て部３の下側に多数のホック（図示しない）を介して着脱可能に着設されている。底板５が枕台部１０及び背当て部３に対して取着されると、使用者が頭部を載せて頭部制止バンド４を装着して係止フック６のリング部６ｂが取着された箇所に張力が加えられた時にも、枕部２が上方に屈曲しないようになっている。ここで、底板５が、本発明の剛体に相当する。
【００２８】
また、背当て部３には胴体制止バンド１４が取着されており、使用者Ａの胴体の周囲に胴体制止バンド１４を巻いて背当て部３と使用者Ａの胴体とを結束可能となっている。図１に示すように、胴体制止バンド１４は、２本の細長いバンド１８及びバンド１９が、筒状のストッパ１５の孔に通されて、バンド１８及びバンド１９の端部に取着された端部結束具１６によって結着されて構成されている。バンド１８及びバンド１９の他端は、背当て部３の各々上面及び下面に対して取着されており、胴体制止バンド１４は輪状を呈している。ストッパ１５はバンド１８及びバンド１９に沿って摺動可能であり、ストッパ１５を摺動させることで胴体制止バンド１４の締め付け具合を調整することができる。端部結束具１６はストッパ１５の孔を通過不能な形状であり、ストッパ１５のバンド１８及びバンド１９からの脱落を防止している。
【００２９】
胴体制止バンド１４の輪の中に使用者Ａの胴体が通るようにして、ストッパ１５を使用者Ａの側に寄せるように摺動させて胴体制止バンド１４を締めると、背当て部３に使用者Ａの胴体を拘束することによって、側臥姿勢が崩れにくくすることができる。このとき、使用者Ａの背中は背当て部３に軽く当接する程度に拘束されていればよいので、胴体制止バンド１４をきつく締め上げる必要はなく、安眠を妨げる虞はないものとなっている。
【００３０】
また、図２及び図３に示すように抱き枕１７を併用することで、側臥補助寝具１を利用して側臥姿勢で睡眠する際に、抱き枕１７によって手足を支えることができる。抱き枕１７は、使用者Ａの胴体よりも多少長い棒状であり、使用者Ａの足に近い側から顔に近い側へと徐々に先細になった形状を呈しており、使用者Ａが側臥姿勢にあるときに手足で抱きかかえると、左手及び左足が抱き枕１７によって支持されるため、睡眠中の筋肉の緊張を低下させ、血行を滑らかにしてさらに寝心地をよくすることができる。
【００３１】
このように、本例の側臥補助寝具１によれば、枕部２に使用者の頭部を載せ、頭部制止バンド４を頭部にかぶせるようにして係止フック６を係止すると、頭部制止バンド４と枕部２とが頭部を挟持する状態で係止され頭部の運動を制限するため、使用者が睡眠中に仰臥姿勢へと無自覚に姿勢を変更することを予防することができる。
【００３２】
また、枕部２及び背当て部３には底板５が取着されているため、枕部２がＵ字形になって両端部が上方へ屈曲したり、背当て部３が使用者Ａの背中に押されて外側に屈曲したりしないようになっている。これにより、頭部が自由に運動可能となったり、身体が転回したりして仰臥姿勢となる虞を低減させることができる。
【００３３】
さらに、背当て部３が枕部２に取着されており、使用者Ａの背中に背当て部３が当接して支えることができる。背当て部３に体重がかかったり、使用者Ａの運動によって力が加えられたりしても、底板５が背当て部３の側方への屈曲変形を抑制し、使用者Ａの背中を支え続けることができる。これにより、使用者Ａが眠っていても、無自覚に胴体を動かして向きを変えて仰臥姿勢になることを抑制することができる。また、背当て部３は高さ寸法が枕部２よりも大きくなっているので、背当て部３に使用者Ａの背中が乗り上げて仰臥姿勢に向きを変えてしまう虞を抑制することができる。
【００３４】
また、枕１１と枕台部１０との間に挟まれるスペーサ１２を、高さの異なるものに変えることにより、使用者の体格や身体的特徴に違いがあっても、枕１１の高さを使用者に合わせることができる。これにより、頚椎の角度や頭部に加わる圧力分布が不快なものとなって使用感を低下させる虞を低減することができる。
【００３５】
また、係止フック６によって頭部制止バンド４が枕台部１０から着脱可能となっているため、着脱を容易とすることができる。また、各部の洗濯や損耗時の交換が容易となっている。枕台部１０と背当て部３との間の補強部８は、枕台部１０よりも低い形状に形成されているので、係止フック６に干渉することなく頭部制止バンド４を適切な位置で係止できる。
【００３６】
次に、本考案の第二の実施形態である側臥補助寝具２０について、図４及び図５に基づき説明する。図４は第二の実施形態の側臥補助寝具の使用状態を示す正面図であり、図５は第二の実施形態の側臥補助寝具の使用状態を示す平面図である。
【００３７】
側臥補助寝具２０は、枕部２１と、頭部当接部２３を備える頭部制止バンド２２とから構成されている。側臥補助寝具１と同様に、側臥補助寝具２０も、側臥した使用者Ａの頭部を枕部２１に載せ、頭部当接部２３が頭部に接するように頭部制止バンド２２を装着して頭部の運動を制限することができる。ここで、枕部２１が、本発明の頭部受容部に相当し、頭部制止バンド２２が、本発明のホールド部に相当する。
【００３８】
枕部２１は、金属製のフレーム部２５の周囲にクッション材を配設したものが、布製の外皮で覆われた構造となっている。フレーム部２５は剛性の高い金属製の骨組であり、側臥補助寝具２０の使用時に、使用者が動こうとして枕部２１に外力が加わった場合にも枕部２１が屈曲変形することを抑制し、枕部２１と頭部制止バンド２２とによって使用者の頭部の運動を制限した状態を維持することができる。ここで、フレーム部２５が、本発明の剛体に相当する。
【００３９】
頭部制止バンド２２は、第一の実施形態における頭部制止バンド４とほぼ同一の形態をとり、頭部当接部２３は、第一の実施形態における頭部当接部７とほぼ同一の形態をとるものである。ただし、端部に取着され、頭部制止バンド２２と枕部２１とを係止する部材が、第一の実施形態における係止フック６とは異なり、面ファスナー方式の係止ファスナー２４となっている。ここで、係止ファスナー２４が、本発明の挟持係止部に相当し、係止ファスナー２４を構成する２つの係止部材が、本発明の第一係止部及び第二係止部に相当する。
【００４０】
側臥補助寝具２０は、側臥補助寝具１と同様に枕部２１及び頭部制止バンド２２によって使用者Ａの頭部の運動を制限することで、使用者Ａの側臥姿勢の維持を補助することができる。これにより、使用者Ａが睡眠中に側臥姿勢から無自覚に仰臥姿勢へと姿勢を変える虞を低減させることができる。
【００４１】
側臥補助寝具２０は、側臥補助寝具１とは異なり背当て部３に相当する部分がなく、全体の形状を簡素化し、小さくすることができる。また、側臥補助寝具１においては底板５によって枕部２と背当て部３の変形が防止されていたのが、側臥補助寝具２０においては、枕部２１に内蔵されたフレーム部２５によってなされている。これにより、側臥補助寝具２０の外観に現れるホック等の接合具を省略し、簡潔な構造及び外観とすることができる。
【００４２】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４３】
すなわち、上記実施形態において、頭部制止バンド４は、４箇所の端部に係止フック６のフック部６ａを備えており、枕台部１０に対して着脱可能となっていたが、これに限定されるものではない。係止フック６を１箇所ないし２箇所の端部に備え、他の端部を枕部２に直接取着したものであってもよい。これにより、係止フック６の数を減少させて構成を簡素にし、より少ない係止フック６の着脱によって頭部制止バンド４の着脱を可能とすることができる。
【００４４】
また、頭部制止バンド４の形状は、４箇所で枕台部１０に係止されるものを示したが、これに限定されるものではなく、側臥した人間の頭部に接する部分を挟んだ２箇所以上において枕部２に固定可能であれば頭部の運動を抑制することが可能であるので、２点以上で枕部２に取り付けられるものであればよい。例えば、頭部制止バンドが両端部に係止フックのフック部を備えた帯形であり、枕台部１０が左端と右端との２箇所に係止フックのリング部を備えたものであってもよい。
【００４５】
また、背当て部３は、使用者Ａの背骨に接する程度の高さのものを示したが、これに限定されるものではなく、高さ寸法がより大きなものであってもよい。また、枕部と同程度よりも高いものであって使用者Ａの胴体を支えることができれば、第一の実施形態の背当て部３よりも高さ寸法が小さいものであってもよい。
【００４６】
また、頭部制止バンド４は、帯状の部分の長さを調節可能としてもよい。これにより、頭部の大きさに合わせて頭部制止バンド４を調節することで、頭部制止バンド４に生じる張力をより適切に調節可能とできる。
【００４７】
また、第一の実施形態における係止フック６、及び第二の実施形態における係止ファスナー２４を、頭部制止バンド４（頭部制止バンド２２）と枕部２（枕部２１）の係止用の部材として示したが、これらに限定されるものではなく、種々の方式とすることができる。例えば、枕部２に取着された、輪形を呈する帯状の伸縮性に富むタオル状帯部材によって枕部２と頭部とを合わせて巻くようにして頭部の運動を制限するものであってもよい。
【００４８】
また、第一の実施形態においては、枕部２の高さ調節用の部材としてクッション性を有するスペーサ１２を枕１１と枕台部１０との間に挟むものを示したが、これに限定されるものではなく、高さ調節用の部材は、合板等からなる板状のものや箱状のものであってもよい。また、枕部または底板の底面に脚を備えているものであってもよい。
【００４９】
また、枕部２（枕台部１０）と背当て部３とは縫製によって着設されているものを示したが、これに限定されるものではなく、底板５のように別部材を介して着設されているものでもよいし、枕部２と背当て部３とが一体的に形成されていてもよい。
【００５０】
また、枕部２及び背当て部３は、袋状の繊維製の外皮の中にクッション材が詰められたものを示したが、これに限定されるものではない。例えば、発泡合成樹脂のクッション材で出来たものであってもよいし、ジェル状の物質や液体、あるいは気体を包装してなるものなどでもよい。
【００５１】
また、第一の実施形態においては、枕部２の右側に背当て部３が着設されたものを示したが、これは、一般に身体の左側を上にした方が心臓に対する負担が軽減されるためである。本考案の実施形態はこれに限定されるものではなく、背当て部３が本実施形態とは異なる方向に備えられていてもよい。これにより、例えば右側を上にした方が寝付きがよい人にとって、より利用しやすいものとすることができる。
【図面の簡単な説明】
【００５２】
【図１】本考案の第一の実施形態の側臥補助寝具の構成を示した分解斜視図である。
【図２】第一の実施形態の側臥補助寝具の使用状態を示した正面図である。
【図３】第一の実施形態の側臥補助寝具の使用状態を示した平面図である。
【図４】第二の実施形態の側臥補助寝具の使用状態を示した正面図である。
【図５】第二の実施形態の側臥補助寝具の使用状態を示した平面図である。
【符号の説明】
【００５３】
Ａ  使用者
１  側臥補助寝具
２  枕部（頭部受容部）
３  背当て部
４  頭部制止バンド（ホールド部）
５  底板（剛体）
６  係止フック（挟持係止部）
６ａ  フック部（第一係止部）
６ｂ  リング部（第二係止部）
７  頭部当接部（ホールド部）
１０  枕台部（頭部受容部）
１１  枕（頭部受容部）
１２  スペーサ（頭部受容部）
１４  胴体制止バンド
２０  側臥補助寝具
２１  枕部（頭部受容部）
２２  頭部制止バンド（ホールド部）
２３  頭部当接部（ホールド部）
２４  係止ファスナー（挟持係止部）
２５  フレーム部（剛体）
【図１】
0003131619.tif 000003
【図２】
0003131619.tif 000004
【図３】
0003131619.tif 000005
【図４】
0003131619.tif 000006
【図５】
0003131619.tif 000007